(57)【要約】【課題】従来の軸受け構造は、回転軸が押えバネと接触する１面とＶ字型溝の２面という合計３箇所で摺動することになり、軸受け部の摩擦損失が大きい。また、メカニカル光スイッチにおいて軸受け部の摩擦損失が大きいと、回転速度が遅くなったり、消費電力が大きくなったり、あるいは連続的な切替え動作や間欠的な切替え動作の信頼性が低下してしまう。【解決手段】軸支持部における凹部底面の幅を回転軸の断面の幅よりも大きくし、回転軸が回転する際に凹部底面と回転軸とが接する回転軸下面の表面領域を円弧面とし、回転軸の両側に第１の姿勢を規制する第１の回転規制部、第２の姿勢を規定する第２の回転規制部とをそれぞれ配することで、回転軸が回転する際、回転軸の円弧面の円弧中心を並進方向に移動可能とし、第１の姿勢および第２の姿勢にて２つの静止位置を取ることが出来る。【選択図】      図１
2005076757.tif 000002
【特許請求の範囲】
【請求項１】
回転軸と、上端面に形成した凹部に前記回転体の回転軸を載せることでその回転軸を回転可能に支持する軸支持部を有する軸受け構造において、
前記軸支持部における凹部の両側壁面を底面に対し所定の角度の傾斜面とし、前記底面の幅を前記回転軸の断面の幅よりも大きくなるように設定し、
さらに、前記回転軸が回転する際に、前記凹部の底面と前記回転軸とが接する前記回転軸下面の表面領域を少なくとも円弧面とし、前記回転軸の両側に第１の姿勢を規制する第１の回転規制部と、第２の姿勢を規定する第２の回転規制部とをそれぞれ配することで、
前記回転軸が回転する際に、前記回転軸の円弧面の円弧中心を並進方向に移動可能とするとともに、前記第１の姿勢および前記第２の姿勢にて２つの静止位置を取ることが出来るようにしたことを特徴とする軸受け構造。
【請求項２】
前記第１の回転規制部と前記第２の回転規制部は、円柱を面取りした平面で構成され、前記回転軸を回転揺動させることで、前記２つの側壁面にそれぞれ前記円柱の面取りした平面を当接させて、異なる２つの姿勢で静止状態をとることを可能としたことを特徴とする請求項１に記載の軸受け構造。
【請求項３】
前記所定の角度は、ほぼ直角であることを特徴とする請求項１または２に記載の軸受け構造。
【請求項４】
前記回転軸上面に形成された円弧面と、その回転軸上面の円弧面に当接する弾性部材をさらに備え、
前記弾性部材は、前記回転軸が自転しながら移動する際に滑らずに追従して動くように構成されていることを特徴とする請求項１から３のいずれか一項に記載の軸受け構造。
【請求項５】
請求項１から４のいずれか一項に記載の軸受け構造と、前記回転軸を有する回転体と、前記回転体を前記第１の姿勢から前記第２の姿勢へ、または前記第２の姿勢から前記第１の姿勢へ移動させる駆動手段とを備え、
前記回転体の一側方に少なくとも一対の光ファイバーの光軸を合わせて対向配置し、さらに、前記回転体には遮蔽板またはミラー面を取り付けて、前記回転体が第１の姿勢にあるときは、前記遮蔽板または前記ミラー面は前記少なくとも一対の光ファイバーの間の隙間に入り込み、また、前記回転体が前記第２の姿勢にあるときは、前記遮蔽板または前記ミラー面は前記一対の光ファイバーの間の隙間から外に出るように構成することで、光スイッチ機能が与えられていることを特徴とする光スイッチ。
【発明の詳細な説明】
【技術分野】
【０００１】
本発明は、回転軸と、上端面に形成した凹部に前記回転体の回転軸を載せることでその回転軸を回転可能に支持する軸支持部を有する軸受け構造及びこれを用いた光スイッチに関し、特にメカニカル光スイッチ等の微小な変位角を制御する場合に適用でき、しかもこの微小な変位角間での移行に際し、回転軸と軸支持部間の摩擦損失を極力少なくした軸受け構造と、それを用いた光スイッチに関する。
【背景技術】
【０００２】
デジタル情報の通信量が膨大になるとともに、光ファイバー通信網が拡充されてきた。この光ファイバー通信網における通信回線を切り換えるためや、障害が発生したときに、予備回線に切り換えるため光スイッチが使用される。光スイッチには様々な方式があるが、切り換える光ファイバーの本数が少ない小規模スイッチには、メカニカル方式の光スイッチが多く用いられている。
【０００３】
その小規模のメカニカル光スイッチに、ミラーまたはプリズムを光路に挿脱する方式を採用したアクチュエータ装置がある。ミラーやプリズムを挿脱する動作は、直動または回転運動により行われている。
【０００４】
この装置において、ある軸回りの回転運動を可能にするためには、回転軸方向の少なくとも２箇所で回転軸を支持する部分が必要である。その回転軸を支持する方法としては、転がり軸受け方式と滑り軸受け方式があるが、装置の小型化という観点からは簡素な構造の滑り軸受け方式が好ましい形態とされている。
【０００５】
その滑り軸受けの技術として、回転シャフトの保持装置において切欠き部（Ｖ字型溝）で軸を支持し、その切り欠き部に載置した回転軸を上方から弾性部材で押圧する技術が開示されている（例えば、特許文献１参照。）。この技術に関して図５（ａ）および図５（ｂ）を用いて説明する。
【０００６】
図５（ａ）は前述した滑り軸受けにおける回転軸３１の軸方向から見た図面である。
【０００７】
回転軸３１は、回転保持部３２のＶ字型溝３３に置かれ、Ｖ字型溝３３の２面に接触し、他の部材に固定された軸押えバネ３４によって上方から押圧されている。回転軸３１は、回転保持部３２と軸押えバネ３４によって回転可能な状態で保持されている。
【０００８】
この軸受け構造を、先に説明したメカニカル光スイッチに適用できるアクチュエータ装置に組み込んだ構成例が図５（ｂ）である。
【０００９】
上述した様に、回転軸３１は、軸押さえバネ３４とＶ字型溝３３の２面に接触しながら回転揺動が可能になっている。回転軸３１には取り付け部３６が接着あるいは厚入等で固定されていて、その一先端部に遮蔽板４０が固定されている。さらに遮蔽板４０には反射ミラー面３９が形成されている。
【００１０】
そして、紙面に垂直方向に光経路３８が存在しており、反射ミラー面３９が図５（ｂ）に示す第１の姿勢のときには光経路３８の光を反射する。第１の姿勢は、取り付け部３６と回転規定板３７の一方側での接触によって静止位置を得る。また、第２の姿勢はここでは図示しないが、取り付け部３６が時計方向に回転すると、取り付け部３６の軸を挟んで反対側の他方側で回転規定板３７に接触することで静止位置を得て、光経路３８の光を透過させる。
【特許文献１】実開昭４８−８６２３８号公報（第２−５頁、第２−３図）
【発明の開示】
【発明が解決しようとする課題】
【００１１】
しかし、背景技術に示したいずれの構造においても、回転軸３１は、軸押えバネ３４と接触する１面とＶ字型溝３３の２面という合計３箇所で摺動することになり、軸受け部の摩擦損失が大きいという課題があった。メカニカル光スイッチにおいて軸受け部の摩擦損失が大きいと、回転速度が遅くなったり、消費電力が大きくなったり、あるいは連続的な切替え動作や、間欠的な切替え動作の信頼性が低下してしまうという問題につながる。
【００１２】
本発明の目的は上記課題を解決した、回転軸を支持する部分における摩擦損失を低減できる軸受け構造とそれを適用した光スイッチを提供することにある。
【課題を解決するための手段】
【００１３】
上記課題を解決するため、本発明の軸受け構造においては、下記記載の構成を採用している。
【００１４】
本発明の軸受け構造は、回転軸と、上端面に形成した凹部に回転体の回転軸を載せることでその回転軸を回転可能に支持する軸支持部を有する軸受け構造において、軸支持部における凹部の両側壁面を底面に対し所定の角度の傾斜面とし、底面の幅を回転軸の断面の幅よりも大きくなるように設定し、さらに、回転軸が回転する際に、凹部の底面と回転軸とが接する回転軸下面の表面領域を少なくとも円弧面とし、回転軸の両側に第１の姿勢を規制する第１の回転規制部と、第２の姿勢を規定する第２の回転規制部とをそれぞれ配することで、回転軸が回転する際に、回転軸の円弧面の円弧中心を並進方向に移動可能とするとともに、第１の姿勢および第２の姿勢にて２つの静止位置を取ることが出来るようにしたことを特徴としている。
【００１５】
また、本発明の軸受け構造は、第１の回転規制部と第２の回転規制部を、円柱を面取りした平面とし、回転軸が回転揺動することで、２つの側壁面にそれぞれ円柱の面取りした平面を当接させて、異なる２つの姿勢で静止状態をとることを可能としたことを特徴としている。
【００１６】
さらに、本発明の軸受け構造は、所定の角度を、ほぼ直角であることを特徴とする。
【００１７】
またさらに、本発明の軸受け構造は、回転軸上面に形成された円弧面と、その回転軸上面の円弧面に当接する弾性部材をさらに備え、この弾性部材は、回転軸が自転しながら移動する際に滑らずに追従して動くように構成されていることを特徴としている。
【００１８】
本発明の光スイッチは、先に示した軸受け構造と、回転軸を有する回転体と、回転体を第１の姿勢から第２の姿勢へ、または第２の姿勢から第１の姿勢へ移動させる駆動手段とを備え、回転体の一側方に少なくとも一対の光ファイバーの光軸を合わせて対向配置し、さらに、回転体には遮蔽板またはミラー面を取り付けて、回転体が第１の姿勢にあるときは、遮蔽板またはミラー面は少なくとも一対の光ファイバーの間の隙間に入り込み、また、回転体が第２の姿勢にあるときは、遮蔽板またはミラー面は一対の光ファイバーの間の隙間から外に出るように構成することで、光スイッチ機能が与えられていることを特徴としている。
【００１９】
［作用］
本発明の軸受け構造においては、回転軸を載置する軸支持部における上端面を凹部形状とするとともに、凹部両側側面を底面に対し所定の角度の傾斜面とし、その底面の幅を回転軸の断面幅よりも大きくしているので、軸支持部に置かれた回転軸を自転させながら並
進方向に移動させることができる。この形態によれば、回転軸と軸支持部における凹部底面の間では滑らずに、回転軸を並進方向に移動させることができ、摩擦損失が発生することはない。したがって回転軸を回転させようとするエネルギーは、すべて回転運動と並進運動に変換されることになり、効率の良い稼動を可能とする。
【００２０】
また、光通信分野に適用するメカニカル光スイッチでは、背景技術で説明した様に、２つの光ファイバーの隙間に反射ミラーを配した遮蔽板を挿脱し、この反射ミラーによって一方の光ファイバーから他方の光ファイバーへの信号を反射または透過させる機能を有する。そのメカニカル光スイッチで重要となるのは、反射ミラーを透過状態と反射状態との間で繰り返し往復動作を行わせたとき、反射状態における反射ミラーの位置および姿勢における高い再現精度である。なぜなら、反射ミラーの位置および姿勢が連続稼動することで規定の値からずれてしまうと、一方の光ファイバーから出射された信号が反射されもう一方の光ファイバーに入射する光量が減少してしまうからである。
【００２１】
そこで、摩擦損失を低減し、正確な２つの姿勢で回転軸の回転を規制するために、回転軸に少なくとも２つの回転規制部を設け、この両回転規制部により、軸支持部の凹部の両側壁にて２つの姿勢（静止位置）を得ることが出来るようにしている。つまり、軸支持部の凹部に回転軸を載置して、回転軸を自転させて並進方向に移動させると、この回転規制部と軸支持部における凹部の一方の側壁面とが衝突するところで回転軸が止まる仕組みとしている。具体的には、回転軸は時計回りに回転すると、軸支持部における凹部の一方の側壁面に当接して止まり（第１の静止状態を得る）、反時計回りに回転すると、軸支持部における凹部の他方の側壁面に当接して止まる（第２の静止状態を得る）。ここで示した軸受け構造における回転軸に反射ミラーを固定しておけば、回転軸を再現性よく、しかも精度良く２つの姿勢で反射ミラーを静止させることが可能になる。この様な構成とすれば、反射ミラー角度が規定の角度からずれてしまうことはなく、一方の光ファイバーから出射された信号が、反射される際にそこで光が損失することは殆どなくなる。
【００２２】
なお、上述した構成に留まらず、回転軸の自重を利用するなら押圧手段は必ずしも必要ではない。また、他の押圧手段を用いて回転軸を常に軸支持部に押しつけることができれば、どんな姿勢においても本発明の軸受け構造は機能させることができる。
【発明の効果】
【００２３】
本発明の軸受け構造を採用すれば、回転軸と軸支持部との間、また回転軸と弾性部材との間で摺動が発生しないので、回転軸の回転摺動における摩擦損失が発生しない。したがって微小な変位角を制御できる小型のアクチュエータ装置である、例えばメカニカル光スイッチに本発明の軸受け構造を適用することは非常に有効である。
【００２４】
そのメカニカル光スイッチに本発明の軸受け構造を適用した場合の効果を列記する。例えば、本発明の軸受け構造を用いた光スイッチは、反射ミラーの回転速度が遅くなるという問題、消費電力が大きくなるという問題、あるいは連続切替え動作や、間欠切替え動作の信頼性が低下してしまうという問題が起こらなくなり、その効果は非常に大きいものである。
【発明を実施するための最良の形態】
【００２５】
以下図１、図２（ａ）および図２（ｂ）を用いて本発明の最適な実施形態を説明する。
【００２６】
図１に本発明の軸受け構造の斜視図を示す。軸支持部２の上端面が凹型に切り欠かれていて、第１の側壁面２ａと、第１の側壁面２ａに対向する第２の側壁面２ｂと、第１の側壁面２ａと第２の側壁面２ｂに隣接する底面２ｃを有している。
【００２７】
そして、軸支持部２の凹部には、回転軸１が載置されている。回転軸１には、例えば第
１の側壁面２ａに面接触することが可能な平面からなる第１の回転規制部１ａがあり、その反対側に第２の側壁面２ｂと面接触することを可能とした平面からなる第２の回転規制部１ｂが形成されている。第１の円弧面１ｃは底面２ｃと線接触をしながら、回転軸１が転がることが可能になっている。すなわち第１の側壁面２ａと第１の回転規制部１ａとが面接触した状態（以下、これを第１の姿勢と呼ぶ。）から回転軸１が時計回りに回転すると、第１の円弧面１ｃと底面２ｃが線接触をしながら第１の円弧面１ｃが並進方向に移動してゆき、第２の側壁面２ｂと第２の回転規制部１ｂとが面接触した状態（以下、これを第２の姿勢と呼ぶ。）になる。
【００２８】
また、上記軸受け構造に加え、回転軸１の上面に第２の円弧面１ｄと、押圧手段として第２の円弧面１ｄと線接触する弾性部材３を配し、回転軸１は底面２ｃに押しつけられるように押圧させた形態とするのが好ましい。この形態をとることで、第１の円弧面１ｃが底面２ｃを転がるときにこの押圧により、回転軸１の滑りの発生を極力抑えることができる。
【００２９】
次に図２（ａ）と図２（ｂ）と図４を用いて、本発明の軸受け構造を適用した光スイッチの説明を行う。
【００３０】
図２（ａ）は、上述の第１の姿勢で静止している状態を示している。回転軸１には磁石２２が固定されており、その着磁方向は矢印Ａで示す向きであり、図中の右側がＮ極、左側がＳ極になっている。また回転軸１は、第２の円弧面１ｄにおいて弾性部材３と接し、この弾性部材３によって下方に押圧されている。さらに回転軸１にはミラーホルダー２１が取り付けられていて、ミラーホルダー２１には反射ミラー２０が固定されている。軸支持部２はハウジング２５に固定されていて、第１のヨーク２３ａと第２のヨーク２３ｂと第３のヨーク２３ｃと第４のヨーク２３ｄもハウジング２５に固定されている。
【００３１】
この様に、図２（ａ）は、反射ミラー２０が光束２４を遮る位置（第１の姿勢）で静止している状態であり、この状態の於ける光束２４の流れを図４を用いて詳細に説明する。
【００３２】
図４は、光スイッチを上方から見た図面であり、図２（ａ），図２（ｂ）で示したアクチュエータ装置の動作とともに、ここで配置する各部材の構成を説明するための図面である。以下の説明は、図２（ａ）と図４を交互に用いて説明を行うこととする。
【００３３】
図２（ａ）に示した光束２４は、図４に示す第１の光ファイバー２６ａから出射した拡散光を第１のコリメータ２７ａによって平行光にしたものである。このとき図２（ａ）における磁石２２の右上コーナーと、第２のヨーク２３ｂとが引き合うとともに、磁石２２の左下コーナーと、第３のヨーク２３ｃとが引き合うことで、反時計回りの偶力が作用している。しかしながら、回転軸１の第１の側壁面２ａが軸支持部２の第１の回転規制部１ａと面接触するので、回転軸１はそれ以上回転できず、姿勢を拘束される。したがってこの状態においては、図４における、第１の光ファイバー２６ａから出射した光は、第１のコリメータ２７ａを介して光束２４となって反射ミラー２０によって反射され、再び第１のコリメータ２７ａを介して第１の光ファイバー２６ａと平行に配置された第２の光ファイバー２６ｂに入射させることができる。
【００３４】
また、第３の光ファイバー２６ｃに平行に第４の光ファイバー２６ｄを配置し、第１の姿勢のときは第４の光ファイバー２６ｄから出射した光は、第２のコリメータ２７ｂを介して反射ミラー２０で反射され、再び第２のコリメータ２７ｂを介して第３の光ファイバー２６ｃに入射させている。
【００３５】
続けて、本発明の軸受け構造を用いた光スイッチの動作について説明する。
【００３６】
本発明の軸受け構造を構成する回転軸を時計回りおよび反時計回りに回転させる駆動手段には、電磁石を利用した手段や、静電気力を利用した手段や、超音波を利用した手段な
どあらゆる手段を採用することが可能である。以下にその一例として、電磁石を利用した駆動手段について説明する。
【００３７】
まず、第１の姿勢から第２の姿勢への移行作用について説明する。
【００３８】
第２のヨーク２３ｂと第３のヨーク２３ｃは、図４に示す様に磁気回路的につながっていて、第３のヨーク２３ｃには第２のコイル２８ｂが巻かれている。図２（ａ）において磁石２２は矢印Ａの向きにＮ極ができているので、第２のヨーク２３ｂにＮ極ができるように第２のコイル２８ｂに電流を流すと、第３のヨーク２３ｃはＳ極となり、磁石２２のＮ極は第２のヨーク２３ｂと反発し、それと同時に磁石２２のＳ極は、第３のヨーク２３ｃと反発する。この様な作用を受けて回転軸１を時計回りに回転させることができる。
【００３９】
そして、第１のヨーク２３ａと第４のヨーク２３ｄも同様に、図４に示す様に磁気的につながっていて、第１のヨーク２３ａには第１のコイル２８ａが巻いてある。回転軸１が時計回りに回転すると、今度は磁石２２のＮ極は第４のヨーク２３ｄに吸引され、それと同時に磁石２２のＳ極は第１のヨーク２３ａに吸引される。すると回転軸１の第１の円弧面１ｃは、軸支持部２の底面２ｃを滑らずに転がってゆき、図２（ｂ）に示すように、回転軸１と軸支持部２の位置関係は第２の姿勢、すなわち第２の側壁面２ｂと第２の回転規制部１ｂとが面接触する状態に移行する。このとき第１の円弧面１ｃと底面２ｃの間で摺動が起こらないので、摩擦損失は発生することはない。そして、第２の姿勢で回転軸１の位置が拘束される。
【００４０】
図４の配置形態の場合、この第２の姿勢では第１の光ファイバー２６ａからの光は、反射ミラー２０に当たらないので、光束はそのまま通過し、第２のコリメータ２７ｂを介して第３の光ファイバー２６ｃに入射することになる。第４の光ファイバー２６ｄから出射した光も同様に、第２のコリメータ２７ｂを介して反射ミラー２０に当たらずにそのまま通過し、第１のコリメータ２７ａを介して第２の光ファイバー２６ｂに入射することになる。
【００４１】
続けて、第２の姿勢から第１の姿勢への移行作用について説明する。
【００４２】
第２の姿勢から第１の姿勢への移行作用も、第１の姿勢から第２の姿勢に移るのと同じように、磁石の反発力を用いて行う。もちろんこのときは、第２のコイル２８ｂには電流を流さない。そしてもう一方の第１のコイル２８ａに電流を流すと、磁石２２のＮ極と第４のヨーク２３ｄとが、また磁石２２のＳ極と第１のヨーク２３ａとが反発し合い、反時計回りの回転力が発生する。回転軸１は、第１の円弧面１ｃが底面２ｃを滑らずに転がって並進方向に移動し、第１の姿勢に移る。このときも第１の円弧面１ｃと底面２ｃの間で摺動が起こらないので、摩擦損失は発生することはない。
【００４３】
また図２（ａ），図２（ｂ）に示した弾性部材３は板バネ形状であり、その一端が前述のように回転軸１と接触していて、さらにそこから折り曲げられ、その他端部はハウジング２５の上部に固定されている。そして、第１の姿勢から第２の姿勢に移るときも、第２の姿勢から第１の姿勢に移るときも、常に回転軸１の第２の円弧面に接触したままとしている。なぜなら弾性部材３は、押圧力を低下させることはないが、回転軸１の並進移動の方向には曲がりやすくなっているので、その曲げ力より摩擦力の方が大きく、回転軸１の回転に連れて弾性部材３は同じ方向に移動するからである。したがってこの弾性部材３と回転軸との当接面においても、摺動による摩擦損失は生じることはない。ただし、弾性部材３は弾性材料を用いているので、第１の姿勢と第２の姿勢において、わずかな歪みエネルギーを蓄えることにはなるが、回転軸１の並進移動量はここで示した構成においては僅かであるので、この歪みエネルギーは、無視することができる。
【００４４】
例えば、回転軸の直径を５００μｍとし、底面３ｃの幅を４４０μｍとして回転角度を
１５°とした場合について考察してみる。このとき、回転軸１の並進移動量は６５μｍとなる。この様に、小型のアクチュエータ装置に本発明の軸受け構造を採用する場合、非常にわずかな変位しか弾性部材３には与える必要がないので、上述した様に歪みエネルギーを無視することができることができるのである。
【００４５】
また、第１の姿勢から第２の姿勢に移行したときに、勢いあまり第１の回転規制部１ａが第１の側壁面２ａと当接して静止すべき位置で止まらずに、さらに回転をしてしまうことがあるかもしれない。その様な不具合を生じる虞があるときは、磁石２２とヨーク２３との間に、緩衝材を設置するなどしてもよい。この様な形態とすれば、緩衝材により回転エネルギーが吸収され、第１の回転規制部１ａが第１の側壁面２ａに確実に当接する状態に収束させることができる。上記不具合は、磁石２２とヨーク２３の吸引力が必要以上に大きい時に起こり得るが、その様な形態を除き、第１の回転規制部１ａが第１の側壁面２ａに一致した姿勢または第２の回転規制部１ｂが第２の側壁面２ｂに一致した姿勢で回転軸を確実に静止させることができる。
【００４６】
また、回転軸１における第１の円弧面１ｃは、表面の粗さを若干粗くするなどしておくと、回転軸１が回転摺動した際に、滑りのない転がりを確実に実現できる。逆に、第１の回転規制部１ａと第１の側壁面２ａ、第２の回転規制部１ｂと第２の側壁面２ｂのそれぞれが接触する面の表面粗さを小さくしておくと、互いに角が引っかからずに面同士のよりよい接触状態を実現することができる。
【００４７】
さらに、図１では第１の側壁面２ａと第２の側壁面２ｂとがほぼ平行であるように示しているが、図３に示すように、それら２面が上に開いた角度をなすようにしてもよい。こうすることで第１の側壁面２ａと第２の側壁面２ｂの表面仕上げが行いやすくなり、組立性が向上する。
【００４８】
またさらに、回転軸１を軸支持部２に押圧する手段である弾性部材３の代わりに、磁気の吸引力を利用してもよい。すなわち、回転軸１を磁性材料で作製し、軸支持部２を非磁性材料で作製し、軸支持部２の下方に磁石を配置すれば、先に説明した弾性部材３と同じ機能（磁石２２と回転軸１の間に吸引力が作用し、回転軸１は軸支持部２に押圧される機能）を有する軸受け構造とすることができる。
【００４９】
なお、回転規制部１ａ，１ｂは、面取りした平面に限られることなく、例えば回転軸１に微小な突起を設置したものでもよい。この様な形態とすれば、突起と第１，第２の側壁面２ａ，ｂが衝突（当接）し、回転軸１の回転位置を規制する第１の姿勢および第２の姿勢を得ることが可能となる。
【図面の簡単な説明】
【００５０】
【図１】本発明の実施の形態における軸受け構造を説明するための斜視図である。
【図２（ａ）】本発明の実施の形態における、軸受け構造をメカニカル光スイッチに適用した際の、第１の姿勢および第１の姿勢から第２の姿勢へ移行させる作用を説明するための図面である。
【図２（ｂ）】本発明の実施の形態における、軸受け構造をメカニカル光スイッチに適用した際の、第２の姿勢および第１の姿勢から第２の姿勢へ、第２の姿勢から第１の姿勢へ移行させる作用を説明するための図面である。
【図３】本発明の別の実施の形態における軸受け構造を説明するための斜視図である。
【図４】本発明の実施の形態における、軸受け構造をメカニカル光スイッチに適用し、各部材の配置、および光ファイバからの光束の流れを説明するための上部平面図である。
【図５（ａ）】従来の発明における軸受け構造を説明するための斜視図である。
【図５（ｂ）】従来の発明における軸受け構造を用いたアクチュエータ装置の動作を説明するための図面である。
【符号の説明】
【００５１】
１  回転軸
１ａ  第１の回転規制部
１ｂ  第２の回転規制部
１ｃ  第１の円弧面
１ｄ  第２の円弧面
２  軸支持部
２ａ  第１の側壁面
２ｂ  第２の側壁面
２ｃ  底面
３  弾性部材
２０  反射ミラー
２１  ミラーホルダー
２２  磁石
２３ａ  第１のヨーク
２３ｂ  第２のヨーク
２３ｃ  第３のヨーク
２３ｄ  第４のヨーク
２４  光束
２５  ハウジング
２６ａ  第１の光ファイバー
２６ｂ  第２の光ファイバー
２６ｃ  第３の光ファイバー
２６ｄ  第４の光ファイバー
２７ａ  第１のコリメータ
２７ｂ  第２のコリメータ
２８ａ  第１のコイル
２８ｂ  第２のコイル
【図１】
2005076757.tif 000003
【図２（ａ）】
2005076757.tif 000004
【図２（ｂ）】
2005076757.tif 000005
【図３】
2005076757.tif 000006
【図４】
2005076757.tif 000007
【図５（ａ）】
2005076757.tif 000008
【図５（ｂ）】
2005076757.tif 000009